(57)【要約】【課題】  子供と保護者又は子供同士が、安全に、一緒に乗って遊ぶことができる、小型かつ軽量なブランコを提供する。【解決手段】  適宜間隔で配設した支持体２，２と、支持体２，２の上端部間に架設した水平軸３と、水平軸３に固定した揺動緩衝装置４と、揺動緩衝装置４に上端部を固着して吊下した杆状部材５，５と、杆状部材５，５の下端部に装着した着座部材６と、からブランコ１を構成する。着座部材６は、合成樹脂を所定形状に成形したものとし、前後に長くした厚肉板状を呈する座板部１３と、座板部１３の両端部に形成し、上方に膨出させた塊状の背板部１４，１４とから成る。【選択図】          図１
2009100992.tif 000002
【特許請求の範囲】
【請求項１】
適宜間隔で配設した支持体と、
この支持体の上端部間に架設した水平軸と、
この水平軸に固定した揺動緩衝装置と、
この揺動緩衝装置に上端部を固着して吊下した杆状部材と、
前後に長くした厚肉板状を呈する座板部と、この座板部の両端部に形成し、上方に膨出させた塊状の背板部とから成り、前記杆状部材の下端部に固定した着座部材と、
から構成されることを特徴とするブランコ。
【請求項２】
前記着座部材は、合成樹脂を所定形状に成形したものであることを特徴とする請求項１に記載のブランコ。
【請求項３】
前記着座部材は、前記背板部の内壁面を曲面部としたことを特徴とする請求項１又は２に記載のブランコ。
【請求項４】
前記着座部材は、前記背板部の側壁面に嵌合溝を形成してあり、この嵌合溝に前記杆状部材の下端部を嵌合させて、杆状部材に着座部材を装着し、吊下するようにしたことを特徴とする請求項１乃至３に記載のブランコ。
【請求項５】
前記着座部材の揺動角度は、最大で前後３０°であることを特徴とする請求項１乃至４に記載のブランコ。
【発明の詳細な説明】
【技術分野】
【０００１】
本発明は、児童公園、保育施設等の庭園、広場に設置され、幼児、児童等が遊ぶことができるブランコに関する。
【背景技術】
【０００２】
通常のブランコは、左右に適宜間隔で配設した三角形状の支持体の上端部間に水平軸を架設し、この水平軸から吊下した２本の鎖状部材の下端部に座板を固定してあり、座板を水平軸を支点として揺動自在としたものである。
そして、幼児、児童等の子供は、座板に座り、２本の鎖状部材を両手で握り、両足を前後に揺動させて、又は親等の保護者が背中を押すことによって、座板を前後に揺動させて遊ぶことができる。
【０００３】
しかし、通常のブランコは、座板の長さも短く、幅も狭いため、子供が１人で座ることしかできないから、親等の保護者、友達等の他の子供は、揺動する座板から少し離れた位置にいて、遊んでいる子供を見守るしかなかった。
すなわち、子供と保護者が、又は子供同士が、顔を向かい合い、言葉を交わしながら、一緒に乗って遊ぶということはできなかった。
【０００４】
幼児の場合には、保護者が座板に座り、幼児をその膝の上に乗せ、一方の手で鎖状部材を握り、他方の手で幼児を抱え、座板を前後に揺動させて、一緒に乗って遊ぶことができる。
しかし、保護者が幼児を抱えて座板に座り、揺動させている状態は、非常に不安定であるため、保護者が幼児を抱えて転落する虞れがあり、極めて危険である。
一方、幼児にとっても、保護者に抱えられているため、自分で遊んでいるという実感を持つことができず、不満を感じているように見える。
【０００５】
このような問題点に鑑みて、子供と保護者が、又は子供同士が、顔を向かい合い、言葉を交わしながら、一緒に乗って遊ぶことができるブランコとして、所謂、箱型ブランコというものが考案された（例えば、特許文献１参照）。
箱型ブランコは、左右に適宜間隔で配設した台形状の支持体の前後上端部間に２本の水平軸を架設し、この水平軸から吊下した４本の杆状部材の下端部にゴンドラ型を呈するブランコ本体の支点を連結したものである。
【０００６】
ブランコ本体は、前後部に対面する座席を配設し、中間部に床板を配設すると共に、側面部に乗降口を形成してあり、利用者は、乗降口からブランコ本体内に乗り込み、前後部の座席に座ることができるようになっている。
よって、子供と保護者が、又は子供同士が、前後部の座席に座ることによって、顔を向かい合い、言葉を交わしながら、一緒に乗って遊ぶことができる。
【０００７】
【特許文献１】特開２００２−３３１１７３号公報
【発明の開示】
【発明が解決しようとする課題】
【０００８】
しかし、前記箱型ブランコは、ブランコ本体が大型で、大重量であるため、揺動させるのに力を要する上、一旦、大きな振幅で揺動してしまうと、大人であっても容易に制御できなくなってしまう。
そのため、揺動するブランコ本体に近寄ってきた子供が衝突して怪我をしたり、ブランコ本体内から子供が転落し、ブランコ本体の底面と設置面との間に挟まれて死亡する等の事故が発生して、現在では、児童公園、保育施設等から撤去されてしまった。
【０００９】
上記問題点を解消するため、ブランコ本体が大きな振幅で揺動しないよう、ガスダンパーを設置して振幅を制限したり、転落の危険性がある立ち乗りができないよう、ブランコ本体の底面、側面等をパンチングプレート等によって被覆するように箱型ブランコも提案されている。
しかし、箱型ブランコにおける本質的な問題点は、結局のところ、ブランコ本体が大型であり、大重量であるということにあり、これを解消しない限り、問題点を根本的に解決することはできなかった。
【００１０】
本発明は、上記問題点に鑑みて為されたものであって、その目的とするところは、子供と保護者又は子供同士が、顔を向かい合って、又、幼児と保護者が、幼児を保護しつつ、一緒に乗って遊ぶことができ、揺動部分を小型、軽量とし、振幅を制限して、利用者が容易に静止することができる構成簡易なブランコを提供することにある。
【課題を解決するための手段】
【００１１】
上記目的を達成するために、本発明のブランコは、適宜間隔で配設した支持体と、この支持体の上端部間に架設した水平軸と、この水平軸に固定した揺動緩衝装置と、この揺動緩衝装置に上端部を固着して吊下した杆状部材と、前後に長くした厚肉板状を呈する座板部と、この座板部の両端部に形成し、上方に膨出させた塊状の背板部とから成り、前記杆状部材の下端部に固定した着座部材と、から構成されることを特徴とする。
【００１２】
かかる構成によれば、子供と保護者又は子供同士が、顔を向かい合い、又、幼児と保護者が、幼児を保護しつつ、一緒に乗って遊ぶことができる。
又、揺動部分である着座部材は、小型、軽量となり、振幅を制限することができて、容易に静止することができる。
【００１３】
小型化、軽量化を達成するため、着座部材は、合成樹脂を所定形状に成形したものとするのが好ましい。
【００１４】
又、背凭れのある椅子に座ったような感覚で、楽な姿勢で、安定状態で着座部材に乗ることができるように、着座部材は、背板部の内壁面を曲面部とするのが好ましい。
【００１５】
さらに、背板部の側壁面に嵌合溝を形成し、この嵌合溝に杆状部材の下端部を嵌合させるようにすれば、杆状部材に着座部材を簡単に装着し、吊下することができる。
【００１６】
着座部材を容易に静止できるよう、着座部材の揺動角度は、最大で前後３０°とするのが好ましい。
【発明を実施するための最良の形態】
【００１７】
以下、本発明のブランコの好適な実施形態について、図面を参照しつつ具体的に説明する。
ここで、図１は、本発明のブランコの側面図、図２は、本発明のブランコの正面図、図３は、本発明のブランコの平面図、図４は、本発明のブランコの着座部材の（Ａ）は平面図、（Ｂ）は正面図、（Ｃ）は側面図、図５は、揺動緩衝装置の斜視図、図６は、図５に示す揺動緩衝装置の分解斜視図である。
【００１８】
本発明のブランコ１は、図１乃至３に示すように、支持体２、水平軸３、揺動緩衝装置４、杆状部材５及び着座部材６から構成されている。
【００１９】
支持体２，２は、図１乃至３に示すように、ステンレス鋼等の金属製パイプの上端部を円弧状に湾曲させ、三角形状に形成したものであり、左右に適宜間隔で配設してある。
【００２０】
水平軸３は、図１乃至３に示すように、ステンレス鋼等の金属製パイプから成り、支持体２，２の上端部間に架設してある。
【００２１】
揺動緩衝装置４は、図５及び６に示すように、矩形環状の金属から成る外殻７内の四隅部に、４個の円筒状のゴムから成る弾性部材８を配置し、外殻７と４５°変位させ、各弾性部材８の周面を各外壁面で押圧させ、矩形環状の金属から成る内殻９を配置してある。
【００２２】
揺動緩衝装置４では、図５に示すように、回転モーメントを負荷すれば、弾性部材８が圧縮変形して、内殻９を適宜角度回動することができ、回転モーメントを除去すれば、弾性部材８の弾性力によって、内殻９を初期位置に戻すことができるようになっている。
【００２３】
そして、揺動緩衝装置４は、図１乃至３に示すように、外殻７の上側外壁面を取付部材１０を介して水平軸３の下側に固定してある。
【００２４】
杆状部材５は、図１乃至３に示すように、把持し易い程度の細いステンレス鋼等の金属製パイプから成り、下端部を屈曲させて水平部１１を形成し、水平部１１の両側を垂直部１２，１２とし、垂直部１２，１２の上側部を内方に湾曲させ、その上端部を揺動緩衝装置４の内殻９の側壁面に固着してある。
【００２５】
着座部材６は、図４に示すように、ポリエチレン等の合成樹脂を回転成形したものであって、座板部１３の両端部に背板部１４，１４を形成してある。
【００２６】
座板部１３は、前後方向長さを長く、横幅を狭くした厚肉板状を呈し、両側端部を曲面状としてある。
背板部１４は、座板部１３の上方に膨出させた塊状を呈し、内壁面を曲面部１５とし、外壁面に陥没部１６を形成し、側壁面及び底壁面に亘って嵌合溝１７を形成してある。
【００２７】
ここで、座板部１３の前後方向長さを長く、横幅を狭くしたことによって、子供と保護者が、又、子供同士が、前後方向に跨って２人で着座部材６に乗ることができるようになっている。
又、背板部１４の内壁面を曲面部１５としたことによって、保護者が背板部１４の曲面部１５に腰部を置けば、背凭れのある椅子に座ったような感覚で、楽な姿勢で、安定状態で着座部材６に乗ることができる。
【００２８】
そして、図１乃至３に示すように、背板部１４の嵌合溝１７に、杆状部材５の水平部１１及び垂直部１２，１２の下端部を嵌合させることによって、杆状部材５，５に着座部材６を装着し、吊下するようになっている。
【００２９】
本発明のブランコ１は、以上のような構成であって、以下のように使用することによって、所期の作用、効果を奏する。
【００３０】
幼児と保護者が一緒に乗って遊ぶ場合には、図７に示すように、先ず、保護者３１が着座部材６の座板部１３を跨ぎ、背板部１４の曲面部１５に腰部を置いて、着座部材６の後側部に乗る。
【００３１】
次に、幼児３２を抱え上げて、着座部材６の座板部１３を跨がせ、幼児３２の腰部を保護者３１の両腿部で、幼児３２の背部を保護者３１の胸部及び腹部で保持して、着座部材６の前側部に乗せる。
【００３２】
そして、保護者３１が杆状部材５の垂直部１２，１２を握ると共に、幼児３２にも握らせれば、非常に安定な状態にあるから、着座部材６を前後に揺動させても、保護者３１が幼児３２を抱えて転落することはなく、安全に、一緒に乗って遊ぶことができる。
【００３３】
幼児３２にとっても、座板部１３にしっかり乗って、杆状部材５の垂直部１２，１２を握っているから、自分で遊んでいるという実感を持つことができ、十分に満足感を得ることができる。
【００３４】
尚、幼児３２は、杆状部材５の垂直部１２，１２を握る代わりに、着座部材６の背板部１４の外壁面に形成した陥没部１６に両手の指先を置き、背板部１４の上端部を握るようにしてもよい。
【００３５】
本発明のブランコ１では、着座部材６をポリエチレン等の合成樹脂を成形したものとしたから、小型かつ軽量であって、例え、近寄ってきた子供が衝突したとしても、殆ど怪我をすることはない。
【００３６】
さらに、着座部材６を揺動緩衝装置４を介して水平軸３に吊下したことによって、揺動角度θを最大で前後３０°程度としてある。又、緩衝作用によって、着座部材６は高速で揺動することもないから、子供であっても、容易に静止することができる。
【００３７】
本発明のブランコ１によれば、子供と保護者又は子供同士が、着座部材６の座板部１３を跨ぎ、両端部の背板部１４，１４の曲面部１５，１５に各々腰部を置けば、着座部材６の前後部に、顔を向かい合って乗ることもできる。
このようにすれば、子供と保護者が、又は子供同士が、安全に、顔を向かい合い、言葉を交わしながら、一緒に乗って遊ぶことができる。
【００３８】
本発明のブランコ１は、着座部材６を前後端部において杆状部材５によって吊下すると共に、杆状部材５の垂直部１２，１２の上側部を内方に湾曲させたから、横向きに脚を開いて立ち乗りした場合、着座部材６が揺動し難く、着座部材６は大きな振幅で揺動せず、高速で揺動することもないから、安全に遊ぶことができる。
【００３９】
又、着座部材６の両端部に上方に膨出させた塊状を呈する背板部１４，１４を形成し、着座可能な空間を制限したから、着座部材６に多人数で座ることはできない。
さらに、背板部１４の内壁面を曲面部１５としたから、ここに安定状態で足を載せることはできず、複数人による立ち乗りを防止することができる。
【００４０】
尚、本発明のブランコ１によれば、幼児と保護者が一緒に乗る場合と同様にして、障害児と介助者が一緒に乗って遊ぶこともできる。
【００４１】
本発明のブランコ１は、揺動緩衝装置４、杆状部材５及び着座部材６から構成されるものであって、大型かつ大重量のブランコ本体を必要としないから、構成は極めて簡易であって、安価に製造することができる。
【００４２】
尚、本発明のブランコ１は、上記実施形態に限定されるものではなく、各構成部材の材料、形状等、本発明の要旨を逸脱しない限りにおいて、種々のものを採用することができること、勿論である。
【図面の簡単な説明】
【００４３】
【図１】本発明のブランコの側面図である。
【図２】本発明のブランコの正面図である。
【図３】本発明のブランコの平面図である。
【図４】本発明のブランコの着座部材の（Ａ）は平面図、（Ｂ）は正面図、（Ｃ）は側面図である。
【図５】揺動緩衝装置の斜視図である。
【図６】図５に示す揺動緩衝装置の分解斜視図である。
【図７】本発明のブランコの使用状態図である。
【符号の説明】
【００４４】
１  ブランコ
２  支持体
３  水平軸
４  揺動緩衝装置
５  杆状部材
６  着座部材
１３  座板部
１４  背板部
１５  曲面部
１７  嵌合溝
【図１】
2009100992.tif 000003
【図２】
2009100992.tif 000004
【図３】
2009100992.tif 000005
【図４】
2009100992.tif 000006
【図５】
2009100992.tif 000007
【図６】
2009100992.tif 000008
【図７】
2009100992.tif 000009